(57)【要約】【課題】集合住宅等の建築物において、床高を抑えつつ、特に重量床衝撃音に対する高い遮音性を持った、施工性のよい床受け部材および二重床を提供する。【解決手段】建物の床版１４上に置かれた複数の防振材１６が、複数の重量パネル１８を床版１４から浮くように支持し、重量パネル１８上に設けられた高さ調整手段が床材２２を支持しているので、この高さ調整手段によって床材２２を昇降させ、レベルとすることができる。よって、床材２２の下に設けられた重量パネル１８の付加荷重が床版１４にかかるので、床高を抑えつつ、特に重量床衝撃音に対する遮音性が向上する。【選択図】図２
2007100403.tif 000002
【特許請求の範囲】
【請求項１】
建物の床版に配置され、床材を支持して二重床構造とする床受け部材であって、
前記床材の下に配置される複数の重量パネルと、
前記床版に置かれ前記重量パネルを該床版から浮かして支持する複数の防振材と、
前記床材と前記重量パネルの間に設けられ、旋回させることで該床材を昇降させる高さ調整手段と、
を有することを特徴とする床受け部材。
【請求項２】
建物の床版に配置され、床材を支持して二重床構造とする床受け部材であって、
前記床材の下に配置される複数の重量パネルと、
前記床版に置かれ前記重量パネルを該床版から浮かして支持する複数の防振材と、
前記防振材と前記重量パネルの間に設けられ、旋回させることで該重量パネルを昇降させる高さ調整手段と、
を有することを特徴とする床受け部材。
【請求項３】
前記重量パネルがコンクリートパネル、モルタルパネル、鋼製パネル、又は鉄製パネルであることを特徴とする請求項１又は請求項２に記載の床受け部材。
【請求項４】
前記重量パネルの下面四隅部を肉抜として、この肉抜部分を前記防振材で支持することを特徴とする請求項１〜請求項３の何れか１項に記載の床受け部材。
【請求項５】
請求項１〜請求項４の何れかの前記床受け部材を配管可能な間隔をおいて前記床版上に配置し、前記重量パネルの上に前記床材を敷き並べたことを特徴とする二重床。
【請求項６】
前記重量パネルに前記床材を接着剤で接着することを特徴とする請求項５に記載の二重床。
【発明の詳細な説明】
【技術分野】
【０００１】
本発明は、集合住宅等の建築物において、上階から下階へ伝わる床衝撃音の遮音性を向上させた床受け部材および二重床に関する。
【背景技術】
【０００２】
集合住宅等の建築物では、床下の配管スペースを確保しつつ、上階から下階へ伝わる床衝撃音を低減するために、一般に遮音二重床構造が用いられている。
【０００３】
乾式の二重床構造としては、図１４に示すような、パネルボード８０が複数の支持脚８２で躯体床８４上に支持されたものがある。支持脚８２の下端にはクッションゴム８６が取り付けられている。
【０００４】
また、特許文献１の置床構造は、図１５に示すように、パネル体８８は、上材９０と下材９２の間に薄肉の制振材９４が挟まれた構造になっており、さらに、このパネル体８８の上面には厚肉の制振材９６を介して、木質仕上材９８が敷設されている。また、パネル体８８を支持する支持体１００の下端には半球状の防振ゴム１０２が取り付けられている。
【０００５】
しかし、これら従来例において遮音性を向上させるために、クッションゴム、防振ゴムや制振材をさらに柔らかくしてしまうと、二重床上に家具等が載ったときの沈み込みが大きくなり、歩行感が損なわれ、歩行時に家具等が揺れてがたつき音を発生するといった問題が生じる。
【０００６】
また、重量床衝撃音の遮音性を向上させるためには、支持脚や支持体が支持する重量を重くすることが効果的であるが、配管のための床下空間を確保しつつ重量を重くするには、ボード等をさらに載せたり、制振材の厚みを増やす必要があり、床高が高くなってしまい、広い居住空間を確保できなくなってしまう。
【０００７】
特許文献２では、図１６に示すように、支持脚１０４の下端に設けた緩衝体１０６の平均荷重たわみ特性を１２７Ｎ／mm以下、床下地パネル１０８と仕上材１１０の間に設けた
制振材料１１２の密度を２．３〜３．３ｇ／cm3、厚さを６〜１５mmと規定して重量床衝
撃音に対する遮音性を向上させているが、設計上の制約が多く、材料選定等の自由度が限られてしまう。
【０００８】
湿式の二重床構造としては、図１７に示すような、躯体床１１４上に置かれた防振材１１６が床版１１８を支持するものがある（特許文献３）。床版１１８に設けられた貫通孔１２０の内周にネジ１２２が形成されており、このネジ１２２に螺合された押さえ板１２４を防振材１１６が支持している。防振材１１６によって、重量床衝撃音を吸収し、床高を低くできる構造である。
【０００９】
しかし、現地でコンクリート打設を行って床版１１８を造る必要があり、また、プレキャストコンクリートを用いた場合でも、かなりの重量物となる床版１１８の揚重作業が必要となるので、施工性が悪い。また床下に配管を設けた場合、配管のための開口部がないので、そのメンテナンスが困難である。湿式の二重床構造は、このような理由から、特に遮音性が重視される特殊な用途（エアロビクスの運動施設、スタジオ、ホール等）に用いられるのが一般的であり、集合住宅等には適さない。
【００１０】
特許文献４の乾式浮床構造は、図１８に示すように、複数の緩衝材１２６がスラブ１２８上に間隔を設けて配設されており、この緩衝材１２６の上にパネル結合板１３０を介して浮床パネル１３２が敷設されている。緩衝材１２６を置くだけなので施工性がよく、間隔を設けることにより配管スペースも確保され、そのメンテナンスも容易である。
【００１１】
しかし、緩衝材１２６は軽いので、先に述べた乾式の二重床構造と同様に、重量床衝撃音に対する遮音性を向上させるためには、ボード等を浮床パネル１３２上に追加したり、パネル結合板１３０の厚みを増やす必要があり、それによって床高が高くなり、広い居住空間を確保できなくなってしまう。また、高さ調整ができないので、浮床パネル１３２を傾きなく敷き詰めることが難しい。
【特許文献１】特開昭６２−２５８０５４号公報
【特許文献２】特開２００１−３１１２９７号公報
【特許文献３】特開２００２−１４７００７号公報
【特許文献４】特開平９−６０２７３号公報
【発明の開示】
【発明が解決しようとする課題】
【００１２】
本発明は係る事実を考慮し、集合住宅等の建築物において、床高を抑えつつ、特に重量床衝撃音に対する高い遮音性を持った、施工性のよい床受け部材および二重床を提供することを課題とする。
【課題を解決するための手段】
【００１３】
請求項１に記載の発明は、建物の床版に配置され、床材を支持して二重床構造とする床受け部材であって、前記床材の下に配置される複数の重量パネルと、前記床版に置かれ前記重量パネルを該床版から浮かして支持する複数の防振材と、前記床材と前記重量パネルの間に設けられ、旋回させることで該床材を昇降させる高さ調整手段と、を有することを特徴としている。
【００１４】
請求項１に記載の発明では、建物の床版上に複数の防振材が置かれており、複数の重量パネルが防振材によって床版から浮くように支持されている。そして、重量パネル上に設けられた高さ調整手段が床材を支持しているので、この高さ調整手段を旋回させることによって床材を昇降させることができる。
【００１５】
よって、床材の下に設けられた重量パネルの付加荷重が床版にかかるので、床高を抑えつつ、特に重量床衝撃音の遮音性が向上する。また、防振材を柔らかくせずに高い遮音性が得られるので、床材の沈み込みがなく、良好な歩行感が得られ、歩行時に家具等が揺れてがたつき音を発生することもない。
【００１６】
さらに、高さ調整手段で床材の上面をレベルとすることで、床材を傾きなく敷き詰めることができる。
【００１７】
また、現地でのコンクリート打設が不要で、人力や台車で運搬可能な複数枚の重量パネルを床版に敷き並べるだけなので、施工性がよく、施工労力を大幅に減らすことができる。また、レイアウト変更も、床材を外すだけで容易に行うことができる。
【００１８】
請求項２に記載の発明は、建物の床版に配置され、床材を支持して二重床構造とする床受け部材であって、前記床材の下に配置される複数の重量パネルと、前記床版に置かれ前記重量パネルを該床版から浮かして支持する複数の防振材と、前記防振材と前記重量パネルの間に設けられ、旋回させることで該重量パネルを昇降させる高さ調整手段と、を有することを特徴としている。
【００１９】
請求項２に記載の発明では、建物の床版上に複数の防振材が置かれており、複数の重量パネルが防振材によって床版から浮くように支持されている。そして、重量パネル上に床材が載置されている。防振材と重量パネルの間には高さ調整手段が設けられており、この高さ調整手段を旋回させることによって重量パネルを昇降させることができる。
【００２０】
よって、請求項１と同様の効果を得ることができ、また、高さ調整手段で重量パネルの上面をレベルとすることで、床材を傾きなく敷き詰めることができる。
【００２１】
また、床材と重量パネルの間に空間がないので共鳴が防止され、さらに、床材が重量パネルと密着して面支持されることにより、床材の振動が抑制されるので、重量床衝撃音の決定周波数となる６３Ｈｚ帯域の床衝撃音を低減することができる。
【００２２】
請求項３に記載の発明は、前記重量パネルがコンクリートパネル、モルタルパネル、鋼製パネル、又は鉄製パネルであることを特徴としている。
【００２３】
請求項３に記載の発明では、重量パネルが、密度の大きいコンクリートパネル、モルタルパネル、鋼製パネル、又は鉄製パネル等であり、これにより、板厚を厚くせずに大きな付加荷重を床版にかけることができる。
【００２４】
請求項４に記載の発明は、前記重量パネルの下面四隅部を肉抜として、この肉抜部分を前記防振材で支持することを特徴としている。
【００２５】
請求項４に記載の発明では、重量パネルの下面の四隅を肉抜して、この肉抜部分にできたスペースに防振材を設けて重量パネルを支持している。
【００２６】
これにより、重量を増加させるために重量パネルのパネル厚を増加させても、二重床の高さを抑えることができる。また、重量パネルと床版の間の空間を小さくできるので、共鳴による床衝撃音の増幅を抑えることができる。
【００２７】
請求項５に記載の発明は、請求項１〜請求項４の何れかの前記床受け部材を配管可能な間隔をおいて前記床版上に配置し、前記重量パネルの上に前記床材を敷き並べたことを特徴としている。
【００２８】
請求項５に記載の発明では、床受け部材を配管可能な間隔をおいて床版上に配置し、この上に床材を敷き並べている。
【００２９】
これにより、床受け部材の下に配管スペースを確保する必要がないので、床高を抑えることができる。
【００３０】
請求項６に記載の発明は、前記重量パネルに前記床材を接着剤で接着することを特徴としている。
【００３１】
請求項６に記載の発明では、床材と重量パネルを接着剤で接着し、床材と重量パネルの間にできる空気層をなくし、面支持を強固にしている。よって、重量床衝撃音の決定周波数となる６３Ｈｚ帯域の床衝撃音をさらに低減することができる。
【発明の効果】
【００３２】
本発明は上記構成としたので、集合住宅等の建築物において、床高を抑えつつ、特に重量床衝撃音に対する高い遮音性が得られ、施工性もよい。
【発明を実施するための最良の形態】
【００３３】
図面を参照しながら、ＲＣ造の集合住宅における床受け部材および二重床を説明する。なお、本実施形態では、ＲＣ造の集合住宅の例を説明するが、あらゆる新築および改修建物への適用が可能である。
【００３４】
まず、本発明の第１の実施形態の床受け部材１０および二重床１２について説明する。図１〜３には、本実施形態の床受け部材１０および二重床１２が示されている。
【００３５】
コンクリートスラブ１４上に複数の円盤状の防振ゴム１６が置かれており、重量パネルとしてコンクリートパネル１８が、その四隅に設けられた防振ゴム１６によってコンクリートスラブ１４から浮くように支持されている。そして、コンクリートパネル１８上に立設した棒状の支持ボルト２０が床材２２を支持し、この床材２２の上にフローリング材２８が敷設されている。例えば、コンクリートパネル１８は、縦７００mm、横５００mm、厚さ７０mmのものを用いることができる。
【００３６】
支持ボルト２０の上部には雄ネジ３２が形成され、頂部にはネジ溝３８が設けられている。支持ボルト２０の底部は、薄い円板２１が一体となった構造になっている。そして、支持ボルト２０の下部を包み込むように円錐台状のゴム台座２４が設けられており、ゴム台座２４の内部空間は、支持ボルト２０よりも少し大きい径の中空部と円板２１よりも少し大きい径の中空部とが上下につながった形状になっている。よって、支持ボルト２０、円板２１とゴム台座２４の内壁には若干の隙間があるので、ゴム台座２４が旋回することなく支持ボルト２０のみが旋回可能となっている。さらに、円板２１とゴム台座２４の間には、摩擦を低減する摺動材３６が設けられており、支持ボルト２０からゴム台座２４に鉛直荷重がかかったときにも、容易に支持ボルト２０のみが旋回できる構造になっている。また、円板２１の外周部がゴム台座２４の内部空間の段差３０に引っ掛かるので、支持ボルト２０を持ち上げてもゴム台座２４が外れて落ちることはない。
【００３７】
支持ボルト２０の上部には受け部材２６が設けられており、この受け部材２６の中心部にある貫通孔４０に形成された雌ネジ部３４と、支持ボルト２０の雄ネジ部３２が螺合している。よって、受け部材２６に床材２２を載せた状態で、支持ボルト２０頂部に設けられたネジ溝３８をドライバや六角レンチ等の工具で回すことにより、支持ボルト２０のみが旋回し、受け部材２６を昇降させ、床材２２のレベル調整ができる。
【００３８】
なお、床材２２は、１〜２cm程度の隙間を空けて配置する。これによって、床材２２同士がこすり合わされて発生する音を防ぐことができる。
【００３９】
本発明の第１の実施形態において、床材２２は、パーチクルボード等の木質パネル、合板等の木質集成材、フレキシブルボード等を用いてもよいが、厚さ１５mm〜２５mm程度の
パーチクルボードが最も適している。
【００４０】
また、フローリング材２８は、フローリング、カーペット、絨毯等を用いてもよいが、清掃のしやすさや軽量床衝撃音を吸収する点等からクッションフローリングが最も適している。
【００４１】
また、摺動材３６は、円板２１とゴム台座２４の間の摩擦抵抗を低くするものであればよい。
【００４２】
また、防振材として円盤状の防振ゴム１６を用いたが、その形状は多角柱にしてもよい。荷重が均等にかかり、どの向きに置いてもコンクリートパネル１８から食み出ることがない点で、円盤状のものが最も適している。なお、ゴムの種類としては、通常のゴムに加え、低反発ゴム、高減衰ゴムや、高分子系材料（エラストマー、発泡ウレタン等）等が挙げられる。また、ゴム台座２４にも同様の材料を用いることが望ましいが、プラスチック系材料や金属系材料を用いることもできる。
【００４３】
また、重量パネルとしてコンクリートパネル１８の例を示したが、大きな付加荷重をコンクリートスラブ１４にかけることができる部材であればよく、モルタルパネル、鋼製パネル、又は鉄製パネル等を用いてもよい。
【００４４】
次に、本発明の第１の実施形態の二重床の施工手順について説明する。
【００４５】
図１の（Ａ）に示すように、下部に防振ゴム１６が取り付けられているコンクリートパネル１８を、配管２３の敷設が可能な間隔をおいて、コンクリートスラブ１４上に配置する。そして、このコンクリートパネル１８上に、ゴム台座２４を下部に有する支持ボルト２０を立設する。支持ボルト２０の本数や配置は、床材２２のレイアウトに合わせて適宜決める。
【００４６】
次に、図１の（Ｂ）に示すように、支持ボルト２０上部の受け部材２６が床材２２を受けるようにして、床材２２を敷き並べる。床材２２を載置した後に、支持ボルト２０の頂部にあるネジ溝３８をドライバや六角レンチ等で回して、受け部材２６を昇降させ、床材２２の上面のレベルを合わせる。
【００４７】
最後に、図１の（Ｃ）に示すように、床材２２上にフローリング材２８を敷設する。
【００４８】
次に、本発明の第１の実施形態に係る床受け部材および二重床の作用及び効果について説明する。
【００４９】
第１の実施形態では、床材２２の下に設けられたコンクリートパネル１８の付加荷重がコンクリートスラブ１４にかかるので、床高を抑えつつ、特に重量床衝撃音の遮音性が向上する。また、防振ゴム１６やゴム台座２４を柔らかくせずに高い遮音性が得られるので、床材２２の沈み込みがなく、良好な歩行感が得られ、歩行時に家具等が揺れてがたつき音を発生することもない。
【００５０】
さらに、支持ボルト２０を旋回し、受け部材２６を昇降させて床材２２の上面をレベルとすることで、床材２２を傾きなく敷き詰めることができる。
【００５１】
また、現地でのコンクリート打設が不要で、人力や台車で運搬可能なサイズのコンクリートパネル１８をコンクリートスラブ１４に敷き並べるだけなので、施工性がよく、施工労力を大幅に減らすことができる。また、レイアウト変更も、床材２２を外すだけで容易に行うことができる。また、このような小さなコンクリートパネル１８は、配筋をしなくても十分な強度が得られるので、鉄筋が不要となる。
【００５２】
また、コンクリートパネル１８に替えて、モルタルパネル、鋼製パネル、又は鉄製パネル等を用いても、大きな付加荷重をコンクリートスラブ１４にかけることができる。
【００５３】
また、コンクリートパネル１８を配管２３の敷設が可能な間隔をおいてコンクリートスラブ１４上に配置しているので、コンクリートパネル１８の下に配管スペースを確保する必要がないので、床高を抑えることができる。
【００５４】
次に、本発明の第２の実施形態の床受け部材１０および二重床１２について説明する。
【００５５】
第２の実施形態は、第１の実施形態において、床材２２とコンクリートパネル１８の間に設けられている高さ調整手段を、防振材５４とコンクリートパネル１８の間に設けたものである。したがって、以下の説明において、第１の実施形態と同じ構成のものは、同符号を付すると共に、適宜省略して説明する。図４〜７には、本実施形態の床受け部材１０および二重床１２が示されている。
【００５６】
コンクリートスラブ１４上に複数の円盤状の防振ゴム５４が置かれており、重量パネルとしてコンクリートパネル１８が、その四隅に設けられた防振ゴム５４によってコンクリートスラブ１４から浮くように支持されている。そして、コンクリートパネル１８上に床材２２が載置され、この床材２２上にフローリング材２８が敷設されている。
【００５７】
コンクリートパネル１８上面には、接着剤を塗布し、床材２２を貼り合わせる。本実施形態では接着剤を用いたが、載置するだけでもよく、釘、ビス、アンカー等により固定してもよい。コンクリートパネル１８と床材２２の空気層をなくすことにより、より遮音性が高まるので、接着剤を用いることが望ましい。
【００５８】
コンクリートパネル１８の四隅に形成された薄肉部には、貫通孔４２が設けられ、この貫通孔４２には、雌ネジ４４が形成されている。
【００５９】
また、防振ゴム５４上には支持部材４６が設けられている。支持部材４６の下部には円盤状の台座５２があり、この台座５２は、中心から立設したボルト部４８と一体化している。ボルト部４８の上部には、雄ネジ５０が形成されており、コンクリートパネル１８の貫通孔４２に設けられた雌ネジ４４と螺合することにより、支持部材４６が、防振ゴム５４を介してコンクリートスラブ１４上にコンクリートパネル１８を支持する。
【００６０】
台座５２の底面には、防振ゴム５４を覆う凹みが形成されている。防振ゴム５４の上側の径は、下側よりも少し大きくなっており、この上側の外周部が引っ掛かるように、台座５２の底部には爪５６が全周に渡って内側に張り出している。よって、支持部材４６を持ち上げても、防振ゴム５４が外れて落ちることはない。
【００６１】
また、防振ゴム５４と台座５２の間には、摺動材３６が設けられているので、支持部材４６から防振ゴム５４に鉛直荷重がかかったときにも、容易に台座５２が旋回できる構造になっている。よって、ボルト部４８の頂部にあるネジ溝４９をドライバーや六角レンチ等で回すことにより、コンクリートパネル１８を昇降させることができる。
【００６２】
なお、床材２２は、１〜２cm程度の隙間を空けて配置する。これによって、床材２２同士がこすり合わされて発生する音を防ぐことができる。
【００６３】
また、摺動材３６は、台座５２と防振ゴム５４の間の摩擦抵抗を低くするものであればよい。
【００６４】
また、防振材として円盤状の防振ゴム５４を用いたが、その形状は多角柱にしてもよい。なお、ゴムの種類としては、通常のゴムに加え、低反発ゴム、高減衰ゴムや、高分子系材料（エラストマー、発泡ウレタン等）等が挙げられる。
【００６５】
次に、本発明の第２の実施形態の二重床の施工手順について説明する。
【００６６】
図４の（Ａ）に示すように、下部に支持部材４６が取り付けられているコンクリートパネル１８を配管２３の敷設が可能な間隔をおいてコンクリートスラブ１４上に配置する。そして、コンクリートパネル１８を配置した後に、ボルト部４８の頂部にあるネジ溝４９をドライバや六角レンチ等で回して、コンクリートパネル１８を昇降させ、コンクリートパネル１８の上面のレベルを合わせる。
【００６７】
次に、図４の（Ｂ）に示すように、コンクリートパネル１８上面に接着剤を塗布し、床材２２を敷き並べる。
【００６８】
最後に、図４の（Ｃ）に示すように、床材２２上にフローリング材２８を敷設する。
【００６９】
次に、本発明の第２の実施形態に係る床受け部材および二重床の作用及び効果について説明する。
【００７０】
第２の実施形態では、第１の実施形態と同様の効果を得ることができ、また、支持部材４６を旋回し、コンクリートパネル１８を昇降させ、コンクリートパネル１８の上面をレベルとすることで、床材２２を傾きなく敷き詰めることができる。
【００７１】
また、床材２２とコンクリートパネル１８の間に空間がないので共鳴が防止され、さらに、床材２２がコンクリートパネル１８と密着して面支持されることにより、床材２２の振動が抑制され、重量床衝撃音の決定周波数となる６３Ｈｚ帯域の床衝撃音を低減することができる。また、床材２２とコンクリートパネル１８を接着剤で接着しているので、面支持を強化し、６３Ｈｚ帯域の床衝撃音の遮音効果をより高めている。
【００７２】
また、コンクリートパネル１８の下面の四隅を肉抜とし、この肉抜部にできたスペースに支持部材４６及び防振ゴム５４を設けているので、重量を増加させるためにコンクリートパネル１８のパネル厚を増加させても、二重床の高さを抑えることができる。また、コンクリートパネル１８とコンクリートスラブ１４の間の空間を小さくできるので、共鳴による床衝撃音の増幅を抑えることができる。
【００７３】
図８は、本発明の第１の実施形態を適用した場合の周波数に対する床衝撃音レベルの測定結果を示すものであり、コンクリートスラブ１４はＲＣ構造でスラブ厚は３００mmであ
る。
【００７４】
図中符号５８は、コンクリートスラブ１４を直接バングマシンで打撃した重量床衝撃音を下階で測定した値、符号６０は、図１４の二重床を設置し同様の測定をした値、符号６２は、本発明の第１の実施形態に示した二重床１２を設置し同様の測定をした値が示されている。
【００７５】
二重床１２の床材２２、及びコンクリートパネル１８のレイアウトは図９に示す通りとし、符号６０と符号６２の測定における床材２２のレイアウトは図９と同じにした。二重床１２の高さ方向の数値は、図３において、Ｈ１＝２０mm、Ｈ２＝７０mm、Ｈ３＝２５mm
、Ｈ４＝２０mm、Ｈ５＝１２mmとし、床材２２には、パーチクルボードを使用した。また
、符号６０、符号６２の測定において、床材２２の下の空間には、グラスウールを敷き詰めた。
【００７６】
また、これらの測定方法は、ＪＩＳＡ１４１８に基づいたものである。
【００７７】
図８の測定結果に示されるように、本発明の第１の実施形態は、重量床衝撃音に対して、コンクリートスラブ１４のみの場合に比べて、低い床衝撃音レベル（６３Ｈｚにおいて２ｄＢ低減）を示しており、また、従来の二重床に比べてもＬ値で２ランク（１ランク＝５ｄＢ）も向上している。
【００７８】
図１０、１１は、本発明の第２の実施形態を適用した場合の周波数に対する床衝撃音レベルの測定結果を示すものであり、コンクリートスラブ１４はＲＣ構造でスラブ厚は１５０mmである。
【００７９】
図１０の符号６４は、コンクリートスラブ１４を直接バングマシンで打撃した重量床衝撃音を下階で測定した値、符号６６は、本発明の第２の実施形態に示した二重床１２を設置し同様の測定をした値が示されている。
【００８０】
また、図１１の符号６８は、コンクリートスラブ１４を直接タッピングマシンで打撃した軽量床衝撃音を下階で測定した値、符号７０は、本発明の第２の実施形態に示した二重床１２を設置し同様の測定をした値が示されている。
【００８１】
床材２２、及びコンクリートパネル１８のレイアウトは図１２に示す通りとした。符号６６、７０の二重床１２には、肉抜の四隅部や高さ調整手段は設けずに、図１３のように、円盤状の防振ゴム７２がコンクリートパネル１８を支持し、その上に床材２２とフローリング材２８を敷設するようにした。二重床１２の高さ方向の数値は、図１３において、Ｈ６＝２０mm、Ｈ７＝７０mm、Ｈ８＝２０mm、Ｈ９＝１２mmとし、床材２２にはパーチク
ルボードを使用した。また、符号６６、符号７０の測定において、床材２２の下の空間には、グラスウールを敷き詰めた。
【００８２】
また、これらの測定方法は、ＪＩＳＡ１４１８に基づいたものである。
【００８３】
図１０の測定結果に示されるように、本発明の第２の実施形態は、重量床衝撃音に対して、コンクリートスラブ１４のみの場合に比べて、低い床衝撃音レベル（６３Ｈｚにおいて８．７ｄＢ低減）を示しており、Ｌ値で約２ランク（１ランク＝５ｄＢ）近く向上している。
【００８４】
図１１の測定結果に示されるように、本発明の第２の実施形態は、軽量床衝撃音に対しても、コンクリートスラブ１４のみの場合に比べて、低い床衝撃音レベルを示しており、Ｌ値で約８ランク（１ランク＝５ｄＢ）近く向上している。
【００８５】
このように、１５０mmのスラブ厚でもＬ−５０クラスの重量床衝撃音に対する遮音性が
実現でき、スラブ厚を上げれば、さらに遮音性を向上させることができる。
【図面の簡単な説明】
【００８６】
【図１】本発明の第１の実施形態に係る床受け部材および二重床を示す説明図である。
【図２】本発明の第１の実施形態に係る床受け部材および二重床を示す断面図である。
【図３】本発明の第１の実施形態に係る床受け部材を示す断面図である。
【図４】本発明の第２の実施形態に係る床受け部材および二重床を示す説明図である。
【図５】本発明の第２の実施形態に係る床受け部材および二重床を示す断面図である。
【図６】本発明の第２の実施形態に係る床受け部材を示す説明図である。
【図７】本発明の第２の実施形態に係る床受け部材を示す断面図である。
【図８】本発明の第１の実施形態に係る二重床と従来の二重床と二重床を構成しないスラブとを比較して示す周波数に対する重量床衝撃音の線図である。
【図９】本発明の第１の実施形態に係る床受け部材および二重床の平面配置図である。
【図１０】本発明の第２の実施形態に係る二重床と二重床を構成しないスラブとを比較して示す周波数に対する重量床衝撃音の線図である。
【図１１】本発明の第２の実施形態に係る二重床と二重床を構成しないスラブとを比較して示す周波数に対する軽量床衝撃音の線図である。
【図１２】本発明の第２の実施形態に係る床受け部材および二重床の平面配置図である。
【図１３】本発明の実施形態に係る床受け部材を示す断面図である。
【図１４】従来の二重床の構成を示す概略図である。
【図１５】従来の二重床の構成を示す概略図である。
【図１６】従来の二重床の構成を示す概略図である。
【図１７】従来の二重床の構成を示す概略図である。
【図１８】従来の二重床の構成を示す概略図である。
【符号の説明】
【００８７】
１０  床受け部材
１２  二重床
１４  コンクリートスラブ（床版）
１６  防振ゴム（防振材）
１８  コンクリートパネル（重量パネル）
２０  支持ボルト（高さ調整手段）
２２  床材
２４  ゴム台座（高さ調整手段）
２６  受け部材（高さ調整手段）
３２  雄ネジ（高さ調整手段）
３４  雌ネジ（高さ調整手段）
４４  雌ネジ（高さ調整手段）
４６  支持部材（高さ調整手段）
５０  雄ネジ（高さ調整手段）
５４  防振ゴム（防振材）
【図１】
2007100403.tif 000003
【図２】
2007100403.tif 000004
【図３】
2007100403.tif 000005
【図４】
2007100403.tif 000006
【図５】
2007100403.tif 000007
【図６】
2007100403.tif 000008
【図７】
2007100403.tif 000009
【図８】
2007100403.tif 000010
【図９】
2007100403.tif 000011
【図１０】
2007100403.tif 000012
【図１１】
2007100403.tif 000013
【図１２】
2007100403.tif 000014
【図１３】
2007100403.tif 000015
【図１４】
2007100403.tif 000016
【図１５】
2007100403.tif 000017
【図１６】
2007100403.tif 000018
【図１７】
2007100403.tif 000019
【図１８】
2007100403.tif 000020